(57)【要約】      （修正有）【課題】効果的な在庫自動引当を実現する在庫管理方法およびプログラムを提供する。【解決手段】在庫管理システムにおいて、引当ルール保存手段と、複数の営業所のそれぞれに対応する在庫データ保存手段と、を含む。方法は、商品の受注数と第一の営業所に対応する在庫データ保存手段中の在庫を比較するステップと、第一の営業所に対応する在庫データに十分な在庫がないことが判明した場合に、第二の営業所に対応する在庫データから不足分を引き当てるステップとを含む。【選択図】図３
2020204813.tif 000002
【特許請求の範囲】
【請求項１】
引当ルール保存手段と複数の営業所のそれぞれに対応する在庫データ保存手段とを含む情報システムにおいてコンピューターにより実行される在庫管理方法であって、
商品の受注数と第一の営業所に対応する在庫データ保存手段中の在庫を比較するステップと、
第一の営業所に対応する在庫データに十分な在庫がないことが判明した場合に、第二の営業所に対応する在庫データから不足分を引き当てるステップとを含む方法。
【請求項２】
さらに、第二の営業所に対して前記商品の出荷指示を行なうステップを含む、請求項１に記載の方法。
【請求項３】
さらに、第一の営業所に前記商品が入庫された場合に、第二の営業所に対応する在庫データを更新するステップを含む、請求項１、または、請求項２に記載の方法。
【請求項４】
引当ルール保存手段と複数の営業所のそれぞれに対応する在庫データ保存手段とを含む情報システムにおいて実行される在庫管理プログラムであって、
商品の受注数と第一の営業所に対応する在庫データ保存手段中の在庫を比較する命令群と、
第一の営業所に対応する在庫データに十分な在庫がないことが判明した場合に、第二の営業所に対応する在庫データから不足分を引き当てる命令群とをコンピューターに実行させるプログラム。
【請求項５】
さらに、第二の営業所に対して前記商品の出荷指示を行なう命令群をコンピューターに実行させる、請求項４に記載のプログラム。
【請求項６】
さらに、第一の営業所に前記商品が入庫された場合に、第二の営業所に対応する在庫データを更新する命令群をコンピューターに実行させる、請求項４、または、請求項５に記載のプログラム。
【発明の詳細な説明】
【技術分野】
【０００１】
本願発明は、在庫管理システムにおける自動在庫引当の方法とプログラムに関する。
【背景技術】
【０００２】
企業の在庫管理システムにおいては、受注に対する在庫引当が不可欠な処理となっている。当該処理では在庫切れの削減と納期の迅速化という相反する課題に対応しながら、在庫を最小化することが必要となる。単純な先入れ先出しの引当方式ではこの課題を解決できないことが多い。
【０００３】
特許文献１では、「出荷納期の何日前に在庫の引当を行うかという在庫引当範囲日数」を製品マスタ上に設定し、受注データ入力時にその製品の在庫の自動的な引当が可能な日を算出することで在庫を最適化する方法が開示されている。しかし、特に、複数の営業所の在庫が個別に管理される環境における、より単純な在庫管理方法（より具体的には在庫の自動引当方法）が求められていた。
【先行技術文献】
【特許文献】
【０００４】
【特許文献１】特許公開公報  特開平６−１４９８４８
【発明の概要】
【発明が解決しようとする課題】
【０００５】
効率的な在庫管理システムを提供する。
【課題を解決するための手段】
【０００６】
本願発明は、引当ルール保存手段と複数の営業所のそれぞれに対応する在庫データ保存手段とを含む情報システムにおいてコンピューターにより実行される在庫管理方法であって、商品の受注数と第一の営業所に対応する在庫データ保存手段中の在庫を比較するステップと、第一の営業所に対応する在庫データに十分な在庫がないことが判明した場合に、第二の営業所に対応する在庫データから不足分を引き当てるステップとを含む方法を提供することで上記課題を解決する。
【０００７】
また、本願発明は、さらに、第二の営業所に対して前記商品の出荷指示を行なうステップを含む、段落０００７に記載の方法を提供することで上記課題を解決する。
【０００８】
また、本願発明は、さらに、第一の営業所に前記商品が入庫された場合に、第二の営業所に対応する在庫データを更新するステップを含む、段落０００７、または、段落０００８に記載の方法を提供することで上記課題を解決する。
【０００９】
また、本願発明は、引当ルール保存手段と複数の営業所のそれぞれに対応する在庫データ保存手段とを含む情報システムにおいて実行される在庫管理プログラムであって、商品の受注数と第一の営業所に対応する在庫データ保存手段中の在庫を比較する命令群と、第一の営業所に対応する在庫データに十分な在庫がないことが判明した場合に、第二の営業所に対応する在庫データから不足分を引き当てる命令群とをコンピューターに実行させるプログラムを提供することで上記課題を解決する。
【００１０】
また、本願発明は、さらに、第二の営業所に対して前記商品の出荷指示を行なう命令群をコンピューターに実行させる、段落００１０に記載のプログラムを提供することで上記課題を解決する。
【００１１】
また、本願発明は、さらに、第一の営業所に前記商品が入庫された場合に、第二の営業所に対応する在庫データを更新する命令群をコンピューターに実行させる、段落００１０、または、段落００１１に記載のプログラムを提供することで上記課題を解決する。
【発明の効果】
【００１２】
効率的な在庫管理システムが提供される。
【図面の簡単な説明】
【００１３】
【図１】本願発明に係る在庫管理システムが稼働する環境を表わす図である。
【図２】本願発明に係る在庫管理システムの全体構成図である。
【図３】本願発明に係る在庫自動引当プログラムの概略フローチャートである。
【発明を実施するための形態】
【００１４】
以下に図を参照しながら本願発明の実施例について説明する。図はすべて例示である。
【００１５】
図１に、本願発明に係る在庫管理システムが稼働する環境を表わす図を示す。本社（101）は本願発明に係る在庫管理システムの管理主体である。営業所（102-1〜102-n）は、顧客（103-1〜103-n）に商品を配送する主体である。営業所（102-1〜102-n）の各々には倉庫（104-1〜104-n）が割り当てられており、各営業所が管理する商品が在庫されている。倉庫（104-1〜104-n）は物理的に１つの建屋であってもよいが、その場合であっても在庫は営業所ごとに管理される。
【００１６】
図２に、本願発明に係る在庫管理システムの全体構成図を示す。在庫自動引当プログラム（201）は、自動引当ルール・データベース（202）に保存されたルールに従い、在庫管理、特に在庫の自動引当を行なうプログラムである。在庫データベース（203）は、各営業所（102-1〜102-n）に対応する倉庫（104-1〜104-n）の製品ごとの在庫数データを保存するデータベースである。出荷依頼プログラム（204）は、各営業所（102-1〜102-n）に出荷依頼を行なうためのプログラムである。
【００１７】
図３に、本願発明に係る在庫自動引当プログラム（201）の概略フローチャートを示す。本処理は、営業所の担当者（ユーザー）が、自営業所がカバーする顧客（たとえば、営業所（102-2）の場合であれば、顧客（103-2））からの受注を処理する際に、自営業所に十分な在庫がない場合に起動される（S301）。
【００１８】
まず、在庫データベース（203）の内容を読み取り、他営業所に同一商品（または代替可能な商品）の引当可能な在庫があるかを確認する（S302）。そのような在庫がない場合には処理を終了する。
【００１９】
次に、在庫データベース（203）と自動引当ルール・データベース（202）を読み取り、未引当数が安全在庫数（製品あるいは製品グループごとに予め設定された値であり、自動引当ルール・データベース（202）中に保存されていてよい）を上回るかを確認する（S303）。上回っていない場合には処理を終了する。
【００２０】
次に、他の営業所の有効在庫を自動引当候補として端末画面上に表示し（S304）、ユーザーにどの営業所の在庫を引当てさせるかを選択させる（S305）。複数の営業所からの引当を行なってもよい。そして、出荷依頼プログラムを通じて引当先となる営業所に出荷指示を行なうためのデータを作成する（S306）。出荷指示は伝票の印刷、または、メール送信などの手段によって行なってよい。また、週次、月次等定期的に発行される出荷指示書に、当該出荷に関する項目を含めることによって行なってもよい。このように、他営業所の余剰在庫を一時的に融通し合うことで、複雑な仕組みによらなくとも在庫を最適化することが可能になる。他営業所から引き当てた在庫は、当該商品が次に入庫した際の処理において受注に引当ててよい（S307）。
【００２１】
自動引当ルール・データベース（202）には、前述のロジックの元になるルールが保存されるが、当該ルールは以下のようなものであってよい。有効在庫数を、”現在庫数−在庫引当数ー安全在庫数”とする。自営業所においての引当可能数を、”現在庫数−在庫引当数”とする。他営業所からの引当可能数を有効在庫数と同一とする。安全在庫数は、品番や製品の分類ごとに設定し、自動引当ルール・データベース（202）に保存してよい。この設定において、過去所定期間の納入数に基づいて各数値を決定してよい。加えて、過去所定期間の出荷数と調達ロット数に基づいて適正在庫数、最大在庫数、最小在庫数を計算し、自動引当ルール・データベース（202）に保存してもよい。
【図１】
2020204813.tif 000003
【図２】
2020204813.tif 000004
【図３】
2020204813.tif 000005